【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
出産を遅らせる装置であって、
子宮頸部を囲む上側リングと、
前記装置を固定する固定要素と、
前記上側リングを前記固定要素に取り付けている取付要素と、
を備えている、装置。
【請求項２】
前記取付要素が、前記上側リングおよび前記固定要素を押し広げる弾性要素である、請求項１に記載の装置。
【請求項３】
前記装置を患者の身体に固定している状態から前記固定要素を解放するクイック解放機構、をさらに備えている、請求項１または２に記載の装置。
【請求項４】
前記固定要素が、前記固定要素の表面が前記子宮頸部の表面に接触しているときに前記子宮頸部の表面との摩擦を増大させるようにされた前記表面、を備えている、請求項１から３のいずれかに記載の装置。
【請求項５】
前記固定要素が、子宮頸部を把持するように構成されている、請求項１から４のいずれかに記載の装置。
【請求項６】
前記固定要素が、前記装置が前記子宮頸部を囲むように位置しているときに前記子宮頸部の表面に向かう方向に突き出している複数の突起、を備えており、
前記固定要素が、２つの状態、すなわち、前記複数の突起が露出しており前記固定要素の表面から突き出している第１の状態と、前記複数の突起が覆われており前記固定要素の表面の下に隠れている第２の状態、を有するようにされている、
請求項１から５のいずれかに記載の装置。
【請求項７】
前記固定要素が、組織に縫合するように構成されている、請求項１から６のいずれかに記載の装置。
【請求項８】
前記固定要素が下側リングを備えている、請求項１から７のいずれかに記載の装置。
【請求項９】
前記上側リングおよび前記下側リングの少なくとも一方が、６０％〜９５％のみ閉じている形状を有する、請求項１から８にいずれかに記載の装置。
【請求項１０】
出産の進行のパラメータを測定する要素、をさらに備えている、請求項１から９のいずれかに記載の装置。
【請求項１１】
前記取付要素が圧縮されている程度を示すようにされた印を有するゲージ、をさらに備えている、請求項１から１０のいずれかに記載の装置。
【請求項１２】
前記取付要素に取り付けられており、かつ前記取付要素が圧縮されている程度に従って前記下側リングから突き出すようにされている、ゲージ、をさらに備えている、請求項８に記載の装置。
【請求項１３】
前記装置の圧縮に関連付けられるパラメータを測定するユニット、をさらに備えており、前記パラメータが、
収縮の頻度、
収縮の力、
収縮の圧力、
収縮の持続時間、
からなる群のうちの１つである、
請求項１から１２のいずれかに記載の装置。
【請求項１４】
前記パラメータの値を記憶するユニット、をさらに備えている、請求項１３に記載の装置。
【請求項１５】
前記パラメータの値を監視装置に送信するユニット、をさらに備えている、請求項１３に記載の装置。
【請求項１６】
既知のしきい値を超える前記パラメータに少なくとも部分的に基づいて、前記子宮頸部からの前記装置の自動的な解放を作動させるユニット、をさらに備えている、請求項１３に記載の装置。
【請求項１７】
前記上側リングが弾性を有する、請求項１から１６のいずれかに記載の装置。
【請求項１８】
前記取付要素がばねを備えている、請求項１から１７のいずれかに記載の装置。
【請求項１９】
前記取付要素が形状記憶ばねを備えている、請求項１から１８のいずれかに記載の装置。
【請求項２０】
前記取付要素が弾性リングを備えている、請求項１から１９のいずれかに記載の装置。
【請求項２１】
前記取付要素が、前記上側リングと前記固定要素とに取り付けられている支柱、を備えている、請求項１から２０のいずれかに記載の装置。
【請求項２２】
薬剤を放出する要素、をさらに備えている、請求項１から２１のいずれかに記載の装置。
【請求項２３】
前記上側リングと前記固定要素との間の距離が前記子宮頸部の長さより小さく、前記固定要素が前記子宮頸部に固定される、請求項１から２２のいずれかに記載の装置。
【請求項２４】
前記上側リングと前記固定要素との間の距離が前記子宮頸部の長さより大きく、前記固定要素が膣壁に固定される、請求項１から２２のいずれかに記載の装置。
【請求項２５】
出産を遅らせる装置であって、
子宮頸部の長さの大部分に沿って子宮頸部を囲むスリーブと、
前記スリーブ上の帯状支持片であり、前記スリーブが半径方向に広がることに対して、前記スリーブの上部よりも前記スリーブの下部においてより大きい抵抗力を提供するように設計されている、前記帯状支持片と、
を備えている、装置。
【請求項２６】
前記帯状支持片が複数の帯状支持片を備えている、請求項２５に記載の装置。
【請求項２７】
前記子宮頸部に縫合するための、前記スリーブの下部における孔、をさらに備えている、請求項２５または２６に記載の装置。
【請求項２８】
出産を遅らせる装置であって、
子宮頸部の長さの大部分に沿って子宮頸部を囲むスリーブと、
前記スリーブの軸線に沿った向きにある、前記スリーブ上の帯状支持片と、
前記スリーブの周囲を少なくとも部分的に囲むリングと、
を備えており、
前記スリーブの上部が押されて半径方向に広がるとき、前記帯状支持片が前記リングを中心として旋回し、したがって前記スリーブの前記上部付近の前記帯状支持片の端部が半径方向外向きに動き、かつ前記スリーブの下部付近の前記帯状支持片の端部が半径方向内向きに動く、
装置。
【請求項２９】
前記リングが複数のリングを備えている、請求項２８に記載の装置。
【請求項３０】
前記リングが弾性を有する、請求項２８または２９に記載の装置。
【請求項３１】
前記スリーブが、前記スリーブの前記表面を貫通する孔、を備えている、請求項２８から３０のいずれかに記載の装置。
【請求項３２】
出産を遅らせる第２の装置を試験する第１の試験装置であって、
子宮頸部の第１のモデルを取り付けるためのフレームと、
第２のモデルを前記第１のモデルに押し付けるプレス機と、
を備えている、試験装置。
【請求項３３】
前記第２のモデルが、
内側に胎児のモデルを有する羊膜嚢のモデル、
内側に胎児の頭部のモデルを有する羊膜嚢のモデル、
胎児のモデル、
胎児の頭部のモデル、
を含む群のうちの１つである、
請求項３２に記載の試験装置。
【請求項３４】
出産を遅らせる装置であって、
子宮頸部を囲む上側リングと、
前記装置を固定する固定要素と、
前記上側リングを前記固定要素に取り付けている弾性要素であり、前記弾性要素が前記上側リングおよび前記固定要素を押し広げる、前記弾性要素と、
前記弾性要素に取り付けられており、かつ前記弾性要素が圧縮されている程度を示すようにされた物理的な印を有するゲージと、
を備えている、装置。
【請求項３５】
出産を遅らせる装置であって、
子宮頸部を囲む上側リングと、
患者の身体の表面との摩擦によって前記装置を固定する固定要素と、
を備えている、装置。
【請求項３６】
前記患者の身体の表面との前記摩擦が、前記子宮頸部を囲む内側面と前記子宮頸部の表面との間の摩擦、を有する、請求項３５に記載の装置。
【請求項３７】
子宮収縮によって加えられている力を推定する方法であって、
子宮頸部を囲む上側リングと、下側リングと、前記上側リングおよび前記下側リングに取り付けられている弾性要素と、前記弾性要素に加えられている力を示すようにされているゲージと、を備えている、出産を遅らせる装置を用意するステップと、
前記装置を膣内に挿入するステップと、
前記上側リングが前記子宮頸部を囲むように前記装置を配置するステップと、
前記上側リングに加えられている力を、前記ゲージを使用して推定するステップと、
を含む、方法。